(57)【要約】【課題】  薄い枠状のプラスチック部材等で成型されたフィルムガイドに反りが生じても、透過原稿を、原稿台ガラス上で正確に位置決めする。【解決手段】  フィルムガイドの透過原稿装着用窓の両側に、一端をフィルムガイドに固定した片持ち舌状の弾性部材のガイド部材を複数設ける。フィルムガイドに反りが生じても、ガイド部材の他端部は原稿台と透過原稿に接し、透過原稿の位置決めを行う。【選択図】  図４
2008035172.tif 000002
【特許請求の範囲】
【請求項１】
透明原稿台に載置した透過原稿を読取るフラットベッド型画像読取装置において、
前記透過原稿を装着するための窓を設けたフィルムガイドと、
前記窓の両側に設けたガイド部材とを有し、
前記ガイド部材は、一端を前記フィルムガイドに固定した片持ち舌状の弾性部材であり、
前記フィルムガイドを前記画像読取装置に装着した状態で、前記ガイド部材の他端は、前記透明原稿台に接し、前記両側の前記ガイド部材の対で、前記透過原稿の幅方向が位置決めされることを特徴とする画像読取装置。
【発明の詳細な説明】
【技術分野】
【０００１】
本発明は、透明原稿台上に載置した透過原稿を読取る画像読取装置に関する。
【背景技術】
【０００２】
従来、写真フィルムなどの透過原稿を、原稿台ガラスを有するフラットベッド型の画像読取装置で読取る場合には、原稿台上に載置したフィルムガイドに装着した透過原稿を、透過原稿の上から面光源ユニットで照射し、読取っていた（例えば、特許文献１参照）。特に、ロッドレンズを使用したコンタクトイメージセンサを用いる画像読取装置では、原稿台ガラスに直接透過原稿を載置する必要がある。この場合、フィルムガイドに反りが生じ、原稿台ガラスとの間に隙間があると、写真フィルムがこの隙間に潜り込むことがあった。このため、このフィルムガイドの原稿台ガラス側にゴム材を貼り付ける構成があったが（特許文献１参照）、隙間が生じるのを防ぐには不十分であった。
【特許文献１】特開２００４−８５９２６号公報
【発明の開示】
【発明が解決しようとする課題】
【０００３】
薄い枠状のプラスチック部材等で成型されたフィルムガイドに反りが生じても、透過原稿を、原稿台ガラス上で正確に位置決めすることを目的とする。
【課題を解決するための手段】
【０００４】
上記の課題を解決するために、本発明の画像読取装置は、透明原稿台に載置した透過原稿を読取るフラットベッド型画像読取装置で、前記透過原稿を装着するための窓を設けたフィルムガイドと、前記窓の両側に設けたガイド部材とを有し、前記ガイド部材は、一端を前記フィルムガイドに固定した片持ち舌状の弾性部材であり、前記フィルムガイドを前記画像読取装置に装着した状態で、前記ガイド部材の他端は、前記透明原稿台に接し、前記両側の前記ガイド部材の対で、前記透過原稿の幅方向が位置決めされることを特徴とする。
【発明の効果】
【０００５】
本発明によれば、フィルムガイドが大きく反っても、原稿台ガラスとの間に透過原稿が潜り込む隙間ができることを防ぐことができ、フィルムを正確に位置決めすることができる。
【発明を実施するための最良の形態】
【０００６】
図１は本実施形態に係るフラットベッド型カラー画像読取装置の斜視図である。図１に示すように、装置本体１の上面に取り付けられた透明原稿台としての原稿台ガラス２上に原稿をセットし、コンタクトイメージセンサ３を原稿台ガラス２に平行に走査することにより、原稿に記載された画像を読み取る。
【０００７】
なお、コンタクトイメージセンサ３には、その内部には原稿照射用の光源であるＲＧＢ三色のＬＥＤ、原稿からの反射光をイメージセンサの受光素子上に結像するロッドレンズアレイ、およびイメージセンサが組込まれている。三色の光源を順次切り替えて点灯し、イメージセンサが各色ごとの原稿からの反射光を読み取ることにより、色分解読み取りをする。
【０００８】
コンタクトイメージセンサ３は、摺動性の良い材質からなるスペーサを左右端部にそれぞれ配置された状態でセンサーホルダ１０３に軸支されている。センサーホルダ１０３は、装置本体１に固定されたガイドシャフト４上を摺動するスライダ５上に固定支持される。コンタクトイメージセンサ３の左側端部は、センサーホルダ１０３上に位置決めされたバネにより、スペーサを介して原稿台ガラス２に圧接される。センサー３、センサーホルダ１０３、バネ、スライダ５など、スライダと一体化されたユニットを、以下、キャリッジ５０１と呼ぶ。また、図１に示すように、スライダ５には、走査駆動源であるモータからの動力を伝達するベルト１５が固定される。モータの正逆回転により、キャリッジ５０１は原稿台ガラス２の範囲の往復走査が可能になっている。また、センサー３の電気的入出力のためのフレキケーブル１０５は、片側をセンサー３に接続され、画像読取装置本体のコントロールボードに、反対側を接続されている。
【０００９】
またスライダ５には、走査駆動源であるモータからの動力を伝達するベルト１５が固定される。モータの正逆回転により、コンタクトイメージセンサ３は原稿台ガラス２の範囲の往復走査が可能になっている。
【００１０】
画像読取装置には、上記のほかにコントロールボードや電源からなる電装部がある。これらは、原稿台ガラスを固定支持する装置本体１の中に配置されている。
【００１１】
また、原稿台ガラス２上には、原稿をガラス上に押圧するための原稿カバー部材としての原稿カバー６が、ヒンジ７を介して装置本体１に開閉可能に取り付けられている。また、原稿カバー内面の原稿台ガラス２と対向する面には、原稿圧着シート部材８ａと弾性部材８ｂからなる原稿圧着シート８が貼り付けられている。
【００１２】
次に、透過原稿用ユニット（以下、ＦＡＵ）４０について説明する。図２はＦＡＵ４０を装置本体１に設置・使用する方法について説明した図である。ＦＡＵ４０は光源ユニット４１とフィルムガイド４５からなり、これらはヒンジ部４２で回動可能に接続されている。フィルムガイド４５は枠形状で、枠内の窓部の位置の原稿台ガラス上に、透過原稿Ｆとしての、６コマの画像毎にロールフィルムを切断した写真フィルムを装着する。装置本体１の左右に設けられた板金に、フィルムガイド４５の左右に設けられた磁石４６が取り付けられることによってＦＡＵ４０は装置本体１に固定される。また、ＦＡＵ４０のケーブル４９は装置本体１に接続される。
【００１３】
磁石４６は、図３（ａ）に示す様に光源ユニット４１を開放した際に、その重さでＦＡＵ４０全体が倒れないだけの磁力を有する。また、磁石４６に対してカバー部材４５Ｃの内側は大きめに形成されており、磁石４６は上下に移動可能に構成されている。この構成により、たとえフィルムガイドに反りなどが生じたとしても、磁石４６の装置本体１への固定は維持されて反り分の変化量は吸収される。またフィルムガイド４５にはヒンジ部４２を構成するための部位が設けられている。
【００１４】
次に、透過原稿Ｆを装置本体１の原稿台ガラス２にセットするには、図３（ａ）に示すように光源ユニット４１をフィルムガイド４５から略９０°開いて、透過原稿Ｆをフィルムガイド４５の内側の原稿台ガラス２上に載置する。さらに図３（ｂ）に示すように光源ユニット４１をフィルムガイド４５側に閉じて、光源ユニット４１が透過原稿Ｆの上面に来るように配置する。
【００１５】
ここで図２（ｂ）に示すように、光源ユニット４１が略９０°開いた際には、光源ユニット４１と原稿カバー６の原稿圧着シート８までの間には間隔Ｇが設けられており、使用者の手が光源ユニット４１開閉時に原稿圧着シート８に触れないような構成になっている。
【００１６】
図３（ａ）はＦＡＵ４０の斜視図である。光源ユニット４１には、透過原稿Ｆに接するＦＡＵガラス４３Ｇが設けられている。ＦＡＵガラス４３Ｇの透過原稿Ｆに接する側の面には、ニュートンリング防止用の表面処理がなされている。さらに、ＦＡＵガラス４３Ｇの表面には透過原稿Ｆの画像領域外（３５ｍｍフィルムの場合、パーフォレーション部）に対応する位置に、ＦＡＵガラス４３Ｇの全長にわたって薄いシート部材４３Ｓが２箇所貼られている。シート部材４３Ｓの厚さは透過原稿Ｆよりわずかに厚く、透過原稿Ｆが原稿台ガラス２に密着するのを避ける。また、光源ユニット４１の中心にはロック部材４８が設けられており、光源ユニット４１が閉じられた際にフィルムガイド４５を固定する。これにより、ＦＡＵ４０の持ち運びの際にも、光源ユニット４１とフィルムガイド４５が不用意に開くことを回避できる。
【００１７】
光源ユニット４１の内部には、面光源ユニット４４と駆動回路を有する。面光源ユニット４４は、面状光源４４Ｂの上面に駆動用モータ４４Ｍ、ＦＡＵウォームギア４４Ｗ、ＦＡＵギア４４Ｇを有する。面状光源４４ＢはＲＧＢそして赤外ＬＥＤを搭載し、透過原稿Ｆの１コマに相当するエリアを均一に照明するユニットであり、透過原稿Ｆ方向に面状に光を照射する。
【００１８】
面光源ユニット４４はＦＡＵガラス４３Ｇの面上、かつＦＡＵボトムカバー４３に設けられたラック４３ＬとＦＡＵギア４４Ｇが噛み合う位置に設置されている。ここで、面状光源ユニット４４は駆動用モータ４４Ｍを動作させることにより、写真フィルムの透過原稿Ｆの６コマの画像の範囲で移動可能である。
【００１９】
ＦＡＵ４０のフィルムガイド４５の上下からの斜視図を図４（ａ）、（ｂ）に示す。フィルムガイド４５には、透過原稿Ｆのフィルムガイド４５下部への潜り込み防止を目的としたゴム部材４５Ｒと、フィルムガイド４５を装置本体１に固定するための磁石４６とそのカバー部材４５Ｃが取り付けられている。磁石４６は、光源ユニット４１を開放した際に、その重さでＦＡＵ４０全体が倒れないだけの磁力を有する。また、磁石４６に対してカバー部材４５Ｃの内側は大きめに形成されており、磁石４６は上下に移動可能に構成されている。この構成により、たとえフィルムガイドに反りなどが生じたとしても、磁石４６の装置本体１への固定は維持されて反り分の変化量は吸収される。
【００２０】
図３（ｂ）は原稿台ガラス２上に透過原稿Ｆを載置して、ＦＡＵ４０の光源ユニット４１を閉じた状態での詳細断面図である。透過原稿Ｆは上方の光源ユニット４１によりＦＡＵガラス４３Ｇの表面に貼られた薄いシート部材４３Ｓを介して両端を押さえられ、面状光源４４Ｂによって光を照射される。透過原稿Ｆを透過した光Ｌを、コンタクトイメージセンサ３が原稿台ガラス２に平行に走査することにより、透過原稿Ｆの画像を読取る。
【００２１】
ヒンジ部４２は、光源ユニット４１を閉じた状態でフィルムガイド４５に対して上下方向に移動可能なように形成されている。フィルムガイドの厚さやそりによるヒンジ部４２の高さのばらつきに関わらず、光源ユニット４１が透過原稿Ｆ上に載り、これを直接原稿台ガラス２に自重で押さえ付ける構成になっている。
【００２２】
ここで、光源ユニット４１は反りのある透過原稿Ｆを平らに伸ばすのに充分な重さを有し、かつ、透過原稿Ｆに接する面は、ガラス４３Ｇで平面度がよい。このため、原稿台ガラス２とシート４３Ｓの厚さの間に透過原稿Ｆの反りが矯正される。シート４３Ｓは、コンタクトイメージセンサ３の画像読取深度の範囲に透過原稿Ｆを配置することができる厚さに設定れている。さらに、透過原稿Ｆの画像領域部はシート４３Ｓの厚さ内に原稿台ガラス２から浮いているので、原稿台ガラス２上でのニュートンリングの発生を防げる。
【００２３】
ところで、上述のように、フィルムガイドが反っても光源ユニットがフィルム上に直接載ることを妨げることがないよう、図３（ｂ）に示すように、フィルムガイド４５の上下には、光源ユニット４１、原稿台ガラス２に対して間隙４５ａ、４５ｂが設けられている。そこで、フィルムをセットする際にこれが下方の間隙４５ｂに潜り込むことを防ぐため、フィルムガイド下面の両側には弾性体からなる片持ち舌状のガイド部材４５Ｒがその一端４５Ｒａを固定されている。ガイド部材４５Ｒの他端４５Ｒｂは舌状部の弾性により上下方向に自由にたわむ。光源ユニットを原稿台ガラスに設置する際、ガイド部材の先端４５Ｒｂがユニット本体よりも先に原稿台ガラスに触れるべく、先端４５Ｒｂの上下方向の位置が設定されている。
【００２４】
したがって光源ユニットが原稿台ガラス上に設置されたとき、ガイド部材はその先端がガラスに密着した状態にある。なおガイド部材は、フィルムガイドが上下の間隙４５ａ、４５ｂの間でいずれの方向に反ってもその先端がガラスに触れるように形状が設定されている。またガラスに触れた状態で両側のガイド部材の先端の間隔がフィルムの幅に相当し、フィルムを幅方向に位置決めできるように形状が設定されている。
【００２５】
なお、ガイド部材４５Ｒはフィルムの長手方向数ヶ所に櫛歯状に配置されておりその先端４５Ｒｂは、図３（ｃ）の断面側面図の拡大図に示す様に、ガイド部材のない個所のフィルムガイド先端４５Ｔと上下方向オーバーラップしている。これにより、フィルムガイドとフィルムがガイド部材との隙間に入り込むことを防止している。またガイド部材の長手方向配列の間隔は、フィルムをコマ単位で短く切ったものをセットしたときでもガイド部材が位置決めとして機能するように設定されている。
【図面の簡単な説明】
【００２６】
【図１】本発明実施例の画像読取装置の、原稿カバーを開いた斜視図。
【図２】本発明実施例の画像読取装置のＦＡＵを設置した斜視図（ａ）と側面図（ｂ）。
【図３】本発明実施例のＦＡＵの、光源ユニットを略９０度開いた斜視図（ａ）、閉じた断面図（ｂ）、ガイド部材詳細図（ｃ）。
【図４】本発明実施例のフィルムガイドの上面側斜視図（ａ）と下面側斜視図（ｂ）。
【符号の説明】
【００２７】
１  装置本体
２  原稿台ガラス
３  コンタクトイメージセンサ
４０  ＦＡＵ
４１  光源ユニット
４５  フィルムガイド
４５Ｒ  ガイド部材
【図１】
2008035172.tif 000003
【図２】
2008035172.tif 000004
【図３】
2008035172.tif 000005
【図４】
2008035172.tif 000006